(57)【特許請求の範囲】
【請求項１】
対向する第一の基板及び第二の基板と、
上記第二の基板に対向する上記第一の基板の対向面上に２本の維持放電ラインに共有される第１の放電維持電極と、
該第１の放電維持電極、および該第１の放電維持電極を共有して当該第１の放電維持電極との間に上記２本の維持放電ラインを構成する第２および第３の放電維持電極を被覆する誘電体層と、
該誘電体層を被覆すると共に、上記第１および第２の放電維持電極ならびに上記第１および第３の放電維持電極によりそれぞれ構成される各維持放電ラインにおける放電時のカソードとして機能するカソード膜と、
上記第一の基板と対向する上記第二の基板の対向面に、上記カソード膜との間に空間を介し、上記第１の放電維持電極と交差する方向に延在するアドレス電極と、
上記第一及び第二の基板間にあって上記空間を区画するように設けられた隔壁と、
該隔壁を被覆する蛍光体と、
上記カソード膜上の上記第１の放電維持電極と対向する位置に、上記カソード膜の材料よりも放電開始電圧の高い材料からなる絶縁部と、
を備えたことを特徴とするプラズマディスプレイパネル。
【請求項２】
第１の放電維持電極はバス電極を有し、
絶縁部は、上記第１の放電維持電極上の誘電体層上に設けられるカソード膜上における上記バス電極の対応する位置に設けられることを特徴とする請求項１に記載のプラズマディスプレイパネル。
【請求項３】
上記カソード膜を構成する材料の主成分はＭｇＯであり、
上記絶縁部を構成する材料の主成分はＡｌ２Ｏ３、ＴｉＯ２及びＳｉＯ２の少なくとも１つであることを特徴とする請求項１又は２に記載のプラズマディスプレイパネル。
【請求項４】
上記絶縁部は、
対応する絶縁材料が加熱されながら、上記カソード膜上に蒸着され形成されることを特徴とする請求項３に記載のプラズマディスプレイパネル。
【発明の詳細な説明】
【０００１】
【発明の属する技術分野】
本発明は、プラズマディスプレイパネルに関するものであり、特に面放電型のプラズマディスプレイパネルに関するものである。
【０００２】
【従来の技術】
面放電型のプラズマディスプレイパネルの例である先行する技術としては、特許出願番号平成７年第２５６２６２号に示されたものがあり、この従来の面放電型のプラズマディスプレイパネルの構成を図５を用いて説明する。
この図５は、この従来の面放電型プラズマディスプレイパネルの構成を示す斜視図である。
【０００３】
図５において、１は第一のガラス基板である前面ガラス基板である。
２ｘｎ〜２ｘｎ＋２は、透明な導伝膜からなるｘ側維持放電電極であり、前面ガラス基板１上に設けられる。
２ｙｎ〜２ｙｎ＋１は、透明な導電膜からなるｙ側維持放電電極であり、前面ガラス基板１上に設けられる。
なお、この先行する技術におけるこれらｘ側維持放電電極とｙ側維持放電電極、例えばｘ側維持放電電極２ｘｎとｙ側維持放電電極２ｙｎとは、平行に隣り合って配設され１つの組をなす。
【０００４】
３ｘｎ〜３ｘｎ＋２は、ｘ側維持放電電極２ｘｎ〜２ｘｎ＋２に積層され、これらｘ側維持放電電極２ｘｎ〜２ｘｎ＋２に電圧を供給するｘ側バス電極である。なお、例えば、ｘ側バス電極３ｘｎは、  ｘ側維持放電電極２ｘｎに電圧を供給する。
３ｙｎ〜３ｙｎ＋１は、ｙ側維持放電電極２ｙｎ〜２ｙｎ＋１に積層され、これらｙ側維持放電電極２ｙｎ〜２ｙｎ＋１に電圧を供給するｙ側バス電極である。なお、例えば、ｙ側バス電極３ｙｎは、  ｙ側維持放電電極２ｙｎに電圧を供給する。
なお、この先行する技術におけるこれらｘ側バス電極とｙ側バス電極、例えばｘ側バス電極３ｘｎとｙ側バス電極３ｙｎとは、平行に隣り合って配設され１つの組をなす。
【０００５】
４は、誘電体層であり、  ｘ側維持放電電極２ｘｎ〜２ｘｎ＋２、  ｙ側維持放電電極２ｙｎ〜２ｙｎ＋１、  ｘ側バス電極３ｘｎ〜３ｘｎ＋２、  及びｙ側バス電極３ｙｎ〜３ｙｎ＋１を被覆する。
５は、酸化マグネシウム（以下、ＭｇＯと称する）で形成されたカソード膜であり、誘電体層４に蒸着され、放電時にカソードとして機能する。
６は第二のガラス基板である背面ガラス基板であり、誘電体層４等を介して、前面ガラス基板１と対をなす。
【０００６】
７はアドレス電極であり、  背面ガラス基板６上に配設されたｘ側維持放電電極２ｘｎ〜２ｘｎ＋２及び  ｙ側維持放電電極２ｙｎ〜２ｙｎ＋１が指向する方向に対して直角の方向に設けられる。
なお、カソード膜５とアドレス電極７との間には、放電の為の空間である放電空間が設けられる。また、この放電空間には、ネオン（Ｎｅ）とキセノン（Ｘｅ）からなる混合ガスが満たされる。
８はバリアリブ（以下、隔壁と称する）であり、隣り合うアドレス電極７の間に設けられる。この隔壁８の頂部は、カソード膜５に接し、放電空間を複数の区画であるセルに分割する。
【０００７】
９Ｒ  ，９Ｑ  ，及び９Ｄ  は、順に赤、緑、青の蛍光体であり、アドレス電極７及びこのアドレス電極７の端部に設けられる隔壁８の表面に設けられる。
１０は放電不活性膜であり、隣り合う組のｙ側維持放電電極とｘ側維持放電電極、例えばｙ側維持放電電極２ｙｎとｘ側維持放電電極２ｘｎ＋１、との間のスペースと、誘電体層４及びカソード膜５を介して対向する位置に設けられる。
そして、この放電不活性膜１０は絶縁物質により成形される。
なお、放電不活性膜１０の幅は、隣り合う組のｙ側維持放電電極の幅とｘ側維持放電電極の幅と、これら隣り合う組のｙ側維持放電電極とｘ側維持放電電極との間隙の幅との和に収まる範囲である。
【０００８】
次に図５を用いて説明した面放電型プラズマディスプレイパネルの動作である駆動シーケンスについて説明する。
ステップ（以下、Ａと称する）１：線順次書込み放電
ｙ側維持放電電極２ｙｎ〜２ｙｎ＋１を線順次走査する。この線順次走査に同期させて、プラズマディスプレイパネルに出力するための画像データに応じた画像信号を、アドレス電極７に出力する。これにより、ｙ側維持放電電極２ｙｎ〜２ｙｎ＋１とアドレス電極７との交差部で、２ｙｎと２ｘｎとの間、或いは２ｙｎ＋１と２ｘｎ＋１との間でＡＣ放電である書込み放電が起こる。その結果、この書込み放電が行われたｙ側維持放電電極２ｙｎ〜２ｙｎ＋１の近傍のカソード膜５の表面に壁電荷が蓄積する。
一方、２ｘｎ〜２ｘｎ＋１の近傍のカソード膜５の表面には、それとは逆極性の壁電荷が蓄積する。
【０００９】
Ａ２：ｘ−ｙ間維持放電
線順次書込み放電が行われた後に、この書込み放電が行われたｙ側維持放電電極２ｙｎ〜２ｙｎ＋１に対向するｘ側維持放電電極２ｘｎ〜２ｘｎ＋２との間、例えばｙ側維持放電電極２ｙｎとｘ側維持放電電極２ｘｎとの間、で放電状態を維持する為のＡＣ放電である維持放電が行われる
Ａ３：全面書込み放電
カソード膜５の表面に蓄積される壁電荷の有無に関らず、書込み放電を起こすために必要な電圧が、前面ガラス基板１全面に敷設され対向するｘ側維持放電電極２ｘｎ〜２ｘｎ＋２とｙ側維持放電電極２ｙｎ〜２ｙｎ＋１との間に、印加される。
【００１０】
Ａ４：全面消去放電
前面ガラス基板１全面に敷設され対向するｘ側維持放電電極２ｘｎ〜２ｘｎ＋２とｙ側維持放電電極２ｙｎ〜２ｙｎ＋１との間に消去パルスが印加されると、次の駆動シーケンスとなるＡ１で不要な壁電荷が消去される。
蛍光体９Ｒは、放電の過程で放射される紫外光を受け、蛍光色である赤色を発する。同様に、蛍光体９Ｇは緑色、蛍光体９Ｂは青色を発する。
【００１１】
なお、図６は、図５に示した従来の面放電型プラズマディスプレイパネルを断面から見た断面図である。なお、この図６のプラズマディスプレイパネルの断面図では、背面ガラス基板６、アドレス電極７、隔壁８、及び蛍光体９Ｒ，９Ｇ，９Ｂを省略している。
また、他の面放電型のプラズマディスプレイパネルの例である従来例としては、特開平２−２２６６３９号公報に示されたようなものがあり、これを図７を用いて説明する。
図７は、この面放電型のプラズマディスプレイパネル断面図である。
なお、図７において、図５及び６に示した従来例と同一又は相当の部分には、同一符号を付し、その説明を省略した。
この従来例では、１本のｘ側バス電極、例えばｘ側バス電極２ｘｍ、が２本のｙ側バス電極、例えばｙ側バス電極２ｙｎとｙ側バス電極２ｙｎ＋１、の間に配設される。
この従来例では、１本のｘ側バス電極と２本のｙ側バス電極とで１つの組をなす。
なお、従来例のプラズマディスプレイパネルには、先行する技術のプラズマディスプレイパネルが有する放電不活性膜１０に相当するものは、設けられていない。
【００１２】
【発明が解決しようとする課題】
先行する技術に示した面放電型プラズマディスプレイパネルの発光輝度を向上させ、見やすいプラズマディスプレイパネルを得るためには、同じ組の対向するｘ側バス電極３ｘｎ〜３ｘｎ＋２とｙ側バス電極３ｙｎ〜３ｙｎ＋１との間隔（以下、ギャップと称する）、例えばｙ側バス電極３ｙｎとｘ側バス電極３ｘｎとのギャップ、を大きくする必要があった。
しかし、前面ガラス基板１上で、同じ組の対向するｘ側バス電極３ｘｎ〜３ｘｎ＋２とｙ側バス電極３ｙｎ〜３ｙｎ＋１とのギャップ、例えばｙ側バス電極３ｙｎとｘ側バス電極３ｘｎとのギャップ、を大きくするには、前面ガラス基板１のスペースが限られていると共に、隣り合うｘ側バス電極３ｘｎ〜３ｘｎ＋２とｙ側バス電極３ｙｎ〜３ｙｎ＋１とのギャップ、例えばｙ側バス電極３ｙｎ−１とｘ側バス電極３ｘｎとのギャップ、が狭小になり、異なる組の隣り合う例えばｙ側バス電極３ｙｎ−１とｘ側バス電極３ｘｎとの間で誤放電が発生し易くなるという問題が生じる。
【００１３】
なお、異なる組の隣り合う例えばｙ側バス電極３ｙｎ−１とｘ側バス電極３ｘｎとの間での誤放電は、これらｙ側バス電極３ｙｎ−１とｘ側バス電極３ｘｎとの間のスペースと、誘電体層４及びカソード膜５を介して対向する位置に放電不活性膜１０を設けることにより防止できる。
先行する技術のプラズマディスプレイパネルを改良して、２本のｙ側バス電極で１本のｘ側バス電極を共用して、所定のセルを有する前面ガラス基板上に設けられるｘ側バス電極及びｙ側バス電極の総数を減少させて、対向するｘ側バス電極とｙ側バス電極とのギャップを拡大させることにより、発光輝度を向上させた見やすいプラズマディスプレイパネルが従来例である。
【００１４】
しかし、従来例に示すプラズマディスプレイパネルは、例えばｙ側維持放電電極２ｙｎとｘ側維持放電電極２ｘｍとの間で放電が始まると、ｘ側維持放電電極２ｘｍの上部領域のカソード膜５にそれまで蓄えられた壁電荷が一様に減ってしまうため、それ以降に発生するｘ側維持放電電極２ｘｍをｙ側維持放電電極２ｙｎと共用するｙ側維持放電電極２ｙｎ＋１とそのｘ側維持放電電極２ｘｍとの間での放電の立上りは、特に不安定になる。
また、従来例に示すプラズマディスプレイパネルでは、隣り合う組の隣り合う２本のｙ側維持放電電極、例えばｙ側維持放電電極２ｙｎ−１とｙ側維持放電電極２ｙｎとの間隔が狭小な場合、ｘ維持放電電極２ｘｍとｙ側維持放電電極２ｙｍとの放電に引き込まれて、  ｘ側維持放電電極２ｘｍとｙ側維持放電電極２ｙｎ−１とが誤って放電するというケースが生じる易くなる。
【００１５】
本発明は、これら問題に鑑みなされたものであり、例えばｙ側維持放電電極２ｙｎとｘ側維持放電電極２ｘｍとの間で放電が始まっても、ｘ側維持放電電極２ｘｍの上部領域のカソード膜５にそれまで蓄えられた壁電荷が一様に減ってしまうことがないように防止し、それ以降に発生するｘ側維持放電電極２ｘｍをｙ側維持放電電極２ｙｎと共用するｙ側維持放電電極２ｙｎ＋１とそのｘ側維持放電電極２ｘｍとの間での放電が安定して立上るプラズマディスプレイパネルを得ることを目的とする。
また、本発明は、ある組のｘ側バス電極と、このｘ側バス電極を有する組の隣りの組のｙ側バス電極との間で生じる誤放電の発生を防止することができる面放電型のプラズマディスプレイパネルを得ることを目的とする。
【００１６】
【課題を解決するための手段】
この発明にかかるプラズマディスプレイパネルは、対向する第一の基板及び第二の基板と、上記第二の基板に対向する上記第一の基板の対向面上に２本の維持放電ラインに共有される第１の放電維持電極と、該第１の放電維持電極、および該第１の放電維持電極を共有して当該第１の放電維持電極との間に上記２本の維持放電ラインを構成する第２および第３の放電維持電極を被覆する誘電体層と、該誘電体層を被覆すると共に、上記第１および第２の放電維持電極ならびに上記第１および第３の放電維持電極によりそれぞれ構成される各維持放電ラインにおける放電時のカソードとして機能するカソード膜と、上記第一の基板と対向する上記第二の基板の対向面に、上記カソード膜との間に空間を介し、上記第１の放電維持電極と交差する方向に延在するアドレス電極と、上記第一及び第二の基板間にあって上記空間を区画するように設けられた隔壁と、該隔壁を被覆する蛍光体と、上記カソード膜上の上記第１の放電維持電極と対向する位置に、上記カソード膜の材料よりも放電開始電圧の高い材料からなる絶縁部とを備えたことを特徴とする。
【００２０】
【発明の実施の形態】
実施の形態１．
本発明による面放電型プラズマディスプレイパネルの一実施形態を、図１を用いて説明する。この図１は、プラズマディスプレイパネルの断面図である。
１１は絶縁部であるｘ放電不活性膜であり、誘電体層４及びカソード層４を介して、共通電極であるｘ側バス電極３ｘｍ−１〜３ｘｍ＋１と対向する位置に設けられる。
１２は絶縁部であるｙ放電不活性膜であり、誘電体層４及びカソード層４を介して、隣り合う２本の独立電極であるｙ側バス電極、例えばｙ側バス電極３ｙｎとｙ側バス電極３ｙｎ＋１との間のスペースと対向する位置に設けられる。
【００２１】
なお、ｙ放電不活性膜１２の幅は、隣り合う組の２本のｙ側バス電極の幅、例えばｙ側バス電極３ｙｎとｙ側バス電極３ｙｎ＋１の幅と、これら隣り合う組の２本のｙ側維持放電電極間のスペースの幅との和に収まる範囲である。
また、１本のｘ側バス電極を挟んだ２本のｙ側バス電極とをまとめて、放電維持電極組である１つの組とする。
さらに、この実施形態１では、誘電体層４にカソード膜５を積層した上に、ｘ及びｙ放電不活性膜１１〜１２を積層している。しかし、誘電体層４にｘ及びｙ放電不活性膜１１〜１２を積層した上に、カソード膜５を積層してもよい。
【００２２】
また、図１において、図５に示した従来例と同一又は相当の部分には、同一符号を付してその説明を省略し、図５と相違する部分について説明した。
また、この図１のプラズマディスプレイパネルの断面図では、背面ガラス基板６、アドレス電極７、隔壁８、及び蛍光体９Ｒ，９Ｇ，９Ｂを省略している。
図１に示す実施形態１において、１本のｘ側維持放電電極、例えばｘ側維持放電電極２ｘｍでは、ｙ側維持放電電極２ｙｎとの第ｎ列（ｎｔｈライン）での放電、及びｙ側維持放電電極２ｙｎ＋１との（ｎ＋１）ｔｈラインでの放電が行われる。
このようなｘ側維持放電電極２ｘｍ−１〜２ｘｍ＋１、及びｙ側維持放電電極２ｙｎ−２〜２ｙｎ＋２は、  実施形態１において、ｙ側維持放電電極２ｙｎ−２、  ｘ側維持放電電極２ｘｍ−１、  ｙ側維持放電電極２ｙｎ−１、  ｙ側維持放電電極２ｙｎ、  ｘ側維持放電電極２ｘｍ、  ｙ側維持放電電極２ｙｎ＋１、  ｙ側維持放電電極２ｙｎ＋２、  ｘ側維持放電電極２ｘｍ＋１の順に配列されている。
【００２３】
なお、ｘ側維持放電電極２ｘｍ−１〜２ｘｍ＋１は、共通の電極に接続され、上述の順番でこれらｘ側維持放電電極２ｘｍ−１〜２ｘｍ＋１を配列しても、電気配線上の矛盾が生じることは無い。
なお、この実施形態１で示したｙ放電不活性膜１２は、隣り合う組の隣り合う２本のｙ側維持放電電極、例えばｙ側維持放電電極２ｙｎ−１とｙ側維持放電電極２ｙｎとの間が充分に広い場合には、特に設ける必要はない。
【００２４】
このように、この実施形態１のプラズマディスプレイパネルは、１本のｘ側バス電極３ｘｍ−１〜３ｘｍ＋１を２本のｙ側バス電極３ｙｎ−２〜３ｙｎ＋２の間に配設し、これら２本のｙ側バス電極３ｙｎ−２〜３ｙｎ＋２で１本のｘ側バス電極３ｘｍ−１〜３ｘｍ＋１を共用する。そして、従来と同様のスペースを有するプラズマディスプレイパネルに、従来と同様の数のセルを設ける際には、前面ガラス基板１に設定するバス電極３ｘｍ−１〜３ｘｍ＋１及びｙ側バス電極３ｙｎ−２〜３ｙｎ＋２の総数を減少させたため、対向するｘ側バス電極とｙ側バス電極とのギャップ、例えばｘ側バス電極３ｘｍとｙ側バス電極３ｙｎとのギャップを拡大させることができ、プラズマディスプレイパネルの発光輝度を向上させることができる。
【００２５】
また、この実施形態１のプラズマディスプレイパネルは、誘電体層４及びカソード膜５を介してｘ側バス電極３ｘｍ−１〜３ｘｍ＋１と対向する位置にｘ放電不活性膜１１を設けるため、放電電流の流れが制御され、隣り合う組の隣り合う２本のｙ側維持放電電極、例えばｙ側維持放電電極２ｙｎ−１とｙ側維持放電電極２ｙｎとの間隔が狭小な場合でも、ｘ維持放電電極２ｘｍとｙ側維持放電電極２ｙｍとの放電に引き込まれて、  ｘ側維持放電電極２ｘｍとｙ側維持放電電極２ｙｎ−１とが誤放電すること防止することができる。
【００２６】
さらに、この実施形態１のプラズマディスプレイパネルは、誘電体層４及びカソード膜５を介してｘ側バス電極３ｘｍ−１〜３ｘｍ＋１と対向する位置にｘ放電不活性膜１１を設けるため、例えばｘ側維持放電電極２ｘｍとｙ側維持放電電極２ｙｎとの間での放電に引き込まれて、ｘ側維持放電電極２ｘｍとｙ側維持放電電極２ｙｎ＋１との間で保持されるべき壁電荷が損失することが抑えられる。このため、  ｘ側維持放電電極２ｘｍとｙ側維持放電電極２ｙｎとの間で放電が始まった後でも、安定してｘ側維持放電電極２ｘｍとｙ側維持放電電極２ｙｎ＋１との間での放電が行われる。
【００２７】
実施の形態２．
次に、本発明の他の実施形態について、図２を用いて説明する。
図２に示した実施形態２のプラズマディスプレイパネルは、実施形態１よりも隣り合う組の隣り合う２本のｙ側維持放電電極、例えばｙ側維持放電電極２ｙｎ＋１とｙ側維持放電電極２ｙｎ＋２との間隔が充分に広いものである。
そこで、図２の実施形態２のプラズマディスプレイパネルでは、隣接するｙ側維持放電電極間、例えばｙ側維持放電電極２ｙｎ＋１とｙ側維持放電電極２ｙｎ＋２との間のスペースに対して、誘電体層４及びカソード膜５を介した位置に、遮光性を有するｙ放電不活性膜１２のパターンを形成した。
この遮光性を有するｙ放電不活性膜１２が形成されることによって、プラズマディスプレイパネルの隣り合う組の隣り合う２本のｙ側維持放電電極間の当該スペースから、蛍光体９Ｒ，９Ｇ，９Ｂの白い地肌が覗けてしまうことがある程度防止でき、プラズマディスプレイパネルの視認上のコントラストが改善される。
【００２８】
なお、ｙ放電不活性膜１２が遮光性を有するには、このｙ放電不活性膜１２の材料となる絶縁材料である酸化アルミニウム（以下、Ａｌ２Ｏ３とする。）又はＴｉＯ２（以下、酸化チタンとする。）を、化学量論的組成よりも酸素の欠乏した状態にして、ｙ放電不活性膜１２を形成させればよい。これは、酸素が欠乏するに伴い、これらの酸化物が黒い色調となることを利用したものである。
具体的には、化学量論的組成のＡｌ２Ｏ３又はＴｉＯ２の試料を加熱して、一部の酸素を分解脱離させながら、カソード膜５に蒸着させることで、上述の酸素欠乏状態の酸化物が含まれたｙ放電不活性膜１２が形成される。
なお、これらＡｌ２Ｏ３又はＴｉＯ２によって形成されたｙ放電不活性膜１２は、ＭｇＯによって形成されたｙ放電不活性膜１２よりも、放電電圧が高い。このことを示す実験結果を表１に示す。
【表１】
0003588961.tif 000002
【００２９】
このように、実施形態２のプラズマディスプレイパネルは、隣接するｙ側維持放電電極間、例えばｙ側維持放電電極２ｙｎ＋１とｙ側維持放電電極２ｙｎ＋２との間のスペースに対して、誘電体層４及びカソード膜５を介した位置に、遮光性を有するｙ放電不活性膜１２のパターンを設けた。
この遮光性を有するｙ放電不活性膜１２が設けられたことによって、プラズマディスプレイパネルの隣り合う組の隣り合う２本のｙ側維持放電電極間の当該スペースから、蛍光体９Ｒ，９Ｇ，９Ｂの白い地肌が覗けてしまうことがある程度防止でき、プラズマディスプレイパネルの視認上のコントラストが改善される。
【００３０】
実施の形態３．
次に、本発明の他の実施形態について、図３を用いて説明する。
図３に示した実施形態３のプラズマディスプレイパネルは、実施形態２と同様に隣り合う組の隣り合う２本のｙ側維持放電電極間、例えばｙ側維持放電電極２ｙｎ＋１とｙ側維持放電電極２ｙｎ＋２との間のスペースが充分に広いものである。
そして、図３に示したプラズマディスプレイパネルは、実施形態２で示した隣り合う組の隣り合う２本のｙ側維持放電電極、例えばｙ側維持放電電極２ｙｎ＋１とｙ側維持放電電極２ｙｎ＋２との間のスペースに、ｘ側バス電極３ｘｍ〜３ｍ＋１やｙ側バス電極３ｙｎ〜３ｙｎ＋２と同一の材料から形成される独立部である金属のシャドウパターン１３が設けられたものである。
なお、この金属のシャドウパターン１３には、外部からの電圧が印加されないように形成されている。
【００３１】
ｘ側バス電極３ｘｍ〜３ｍ＋１やｙ側バス電極３ｙｎ〜３ｙｎ＋２を構成する金属としては、クロム（Ｃｒ）膜と銅（Ｃｕ）膜とＣｒ膜とが積層された多層膜、或いはアルミニウム（Ａｌ）膜とＣｒ膜がと積層された多層膜が代表的であり、これらの多層膜は完璧な遮光性を有する。
中でも、多くのプラズマディスプレイパネルで視認できるのは、黒っぽい金属光沢を有する遮光性の高いＣｒ膜であり、このＣｒ膜が用いられた多層膜をシャドウパターン１３として、例えばｙ側維持放電電極２ｙｎ＋１とｙ側維持放電電極２ｙｎ＋２との間のスペースに設ければ、プラズマディスプレイパネルの隣り合う組の隣り合う２本のｙ側維持放電電極間の当該スペースから、蛍光体９Ｒ，９Ｇ，９Ｂの白い地肌が覗けてしまうことが防止でき、プラズマディスプレイパネルの視認上のコントラストが改善される。
【００３２】
また、これらの多層膜は、スパッタ蒸着等の方法で成膜されたベタ膜を、写真製版法並びにエッチング法を用いて生成されるため、シャドウパターン１３の生成は、写真製版の際に使用されるフォトマスクのパターン設計を用いて容易に生成できるため、シャドウパターン１３を形成するための新たな工程を増やす必要もない。
なお、隣り合う組の隣り合う２本のｙ側維持放電電極、例えばｙ側維持放電電極２ｙｎ＋１とｙ側維持放電電極２ｙｎ＋２との間のスペースに対して、誘電体層４及びカソード膜５を介した位置に、ｙ放電不活性膜１２のパターンを形成することなく、プラズマディスプレイパネルに金属のシャドウパターン１３  が設けられると、例えばｘ側維持放電電極２ｘｍとｙ側維持放電電極２ｙｎとの間で行われる放電の影響で、誘電体層４を介して金属のシャドウパターン１３と対向するカソード膜５に壁電荷が蓄えられ、ある瞬間にスパーク放電が発生する。このことを示すプラズマディスプレイパネルの構成図を図４に示す。
【００３３】
このように、実施形態３のプラズマディスプレイパネルは、隣り合う組の隣り合う２本のｙ側維持放電電極、例えばｙ側維持放電電極２ｙｎ＋１とｙ側維持放電電極２ｙｎ＋２との間のスペースに、ｘ側バス電極３ｘｍ〜３ｍ＋１やｙ側バス電極３ｙｎ〜３ｙｎ＋２と同一の材料から形成され遮光性を有する金属のシャドウパターン１３が設けられたため、プラズマディスプレイパネルの隣り合う組の隣り合う２本のｙ側維持放電電極間の当該スペースから、蛍光体９Ｒ，９Ｇ，９Ｂの白い地肌が覗けてしまうことが防止でき、プラズマディスプレイパネルの視認上のコントラストが改善される。
それと共に、この実施形態３のプラズマディスプレイパネルは、スパーク放電の発生する危険性が緩和されている。
【００３４】
【発明の効果】
以上のように、この発明にかかるプラズマディスプレイパネルは、対向する第一の基板及び第二の基板と、上記第二の基板に対向する上記第一の基板の対向面上に２本の維持放電ラインに共有される第１の放電維持電極と、該第１の放電維持電極、および該第１の放電維持電極を共有して当該第１の放電維持電極との間に上記２本の維持放電ラインを構成する第２および第３の放電維持電極を被覆する誘電体層と、該誘電体層を被覆すると共に、上記第１および第２の放電維持電極ならびに上記第１および第３の放電維持電極によりそれぞれ構成される各維持放電ラインにおける放電時のカソードとして機能するカソード膜と、上記第一の基板と対向する上記第二の基板の対向面に、上記カソード膜との間に空間を介し、上記第１の放電維持電極と交差する方向に延在するアドレス電極と、上記第一及び第二の基板間にあって上記空間を区画するように設けられた隔壁と、該隔壁を被覆する蛍光体と、上記カソード膜上の上記第１の放電維持電極と対向する位置に、上記カソード膜の材料よりも放電開始電圧の高い材料からなる絶縁部とを備えたので、所定のスペースに所定の数のセルを設ける際に、第一のガラス基板に敷設される放電維持電極の数が減少する為、対向する第１の電極と第２の電極とのギャップを拡大させることができ、プラズマディスプレイパネルの発光輝度を向上させることができると共に、カソード膜を介して、第１の放電維持電極と対向する位置に絶縁部が設けられると、第１の放電維持電極によって構成される維持放電ラインのいずれかが放電しても、第１の放電維持電極を介した他方の維持放電ラインにおける壁電荷は維持される為、上記２ラインの放電が安定して行われる。
【図面の簡単な説明】
【図１】本発明の実施の形態１のプラズマディスプレイパネルの断面図である。
【図２】本発明の実施の形態２のプラズマディスプレイパネルの断面図である。
【図３】本発明の実施の形態３のプラズマディスプレイパネルの断面図である。
【図４】本発明の実施の形態３で説明するｙ放電不活性膜を有さないプラズマディスプレイパネルの断面図である。
【図５】先行する技術のプラズマディスプレイパネルの斜視図である。
【図６】先行する技術のプラズマディスプレイパネルの断面図である。
【図７】先行する技術のプラズマディスプレイパネルの断面図である。
【符号の説明】
１  前面ガラス基板、２  維持放電電極、３  バス電極、４  誘電体層、５  カソード膜、６  背面ガラス基板、７  アドレス電極、８  バリアリブ（隔壁）、９  蛍光体、１０  放電不活性膜、１１  ｘ放電不活性膜、１２  ｙ放電不活性膜、１３  シャドウパターン。
【図１】
0003588961.tif 000003
【図２】
0003588961.tif 000004
【図３】
0003588961.tif 000005
【図４】
0003588961.tif 000006
【図５】
0003588961.tif 000007
【図６】
0003588961.tif 000008
【図７】
0003588961.tif 000009